(57)【要約】【課題】リクションパッド分離方式の分離部での搬送負荷を減らすことにより、平行度など画像位置精度不良を抑え得る給紙装置を提供する。【解決手段】用紙３の先端がフリクションパッド２に突き当たったとき、用紙３の先が給紙コロ１の脇近傍部位で波打ちをし、フリクションパッド２の幅に比べて給紙コロ１の幅を狭くすると、用紙３の先端とフリクションパッド２の接触部分が減り、用紙３を捌くプレ分離効果は減るが、給紙コロ１の幅Ｌはフリクションパッド２の幅Ｌ’より狭くする。給紙コロ１と当接しないようにかつフリクションパッド２の上方に搬送ガイド部４を近接配置すると、用紙３の波打ちを搬送ガイド部４が押さえつつフリクションパッド２に用紙３の先端を押し当てることになり、そのためプレ分離効果の減少を抑えることができる。【選択図】　　　　図２
2004067257.tif 000002
【特許請求の範囲】
【請求項１】
用紙を積載するトレイと、該トレイ上から用紙を給送する給紙コロと、該給紙コロに当接して給送される用紙を分離するフリクションパッドを備える給紙装置において、上記給紙コロの幅が上記フリクションパッドの幅より狭く、また上記フリクションパッドの上方で上記給紙コロと当接しない位置に搬送ガイド部を近接配置してなることを特徴とする給紙装置。
【請求項２】
請求項１の給紙装置において、上記搬送ガイド部が上記給紙コロとともに回転することを特徴とする給紙装置。
【請求項３】
請求項１または２の給紙装置において、上記搬送ガイド部が弾性体からなることを特徴とする給紙装置。
【発明の詳細な説明】
【０００１】
【発明の属する技術分野】
本発明は、転写紙をフリクションパッド分離方式にて分離する給紙装置に関する。
【０００２】
【従来の技術及び発明が解決しようとする課題】
現在、複写機等の画像形成装置における給紙装置に用いられる給紙部の分離方式としてフリクションパッド分離がある。この分離方式は、給紙コロにより用紙をフリクションパッド分離部へ給送し、分離部で用紙が一枚一枚送られるよう捌き、捌いた一枚の用紙を給紙コロによりレジスト部へ送るというものである。
【０００３】
図１はフリクションパッド分離を行う従来の給紙装置の要部を概略的に示す斜視図である。給紙コロ１とフリクションパッド２の幅はほぼ同じ長さ（Ｌ＝Ｌ’）であり、両者の接触している部分が分離部を構成している。給紙コロ１により用紙３をフリクションパッド２との間の分離部へ給送し、給送した用紙３をフリクションパッド２に突き当て、プレ分離により用紙３を一枚一枚捌き、捌いた一枚の用紙３を給紙コロ１により図示しないレジスト部のニップ部へと送る。このとき、用紙３の後部が給紙コロ１とフリクションパッド２の間に挟まれたままになっているため、この挟まれた部分に搬送負荷が掛かり、平行度など画像位置精度に悪影響を及ぼすことがある。
【０００４】
また、用紙３の先端が給紙コロ１とフリクションパッド２が形成する分離部に突き当たったとき、用紙３の先端が給紙コロ１の脇部近傍で波打ちをする（図中Ｘ部分）。これを解消するためにフリクションパッド２の幅に比べて給紙コロ１の幅を狭くし、用紙３の先端とフリクションパッドの接触部分を減らすと、用紙３を捌くプレ分離効果が低減する。
【０００５】
そこで例えば、特開平８−３２４８１６号公報に開示の技術のように、給紙コロとフリクションパッドの幅を同じにしてニップ部を広くとると、搬送負荷が大きくなり、画像位置精度に影響を及ぼす可能性が高くなる。
【０００６】
本発明は、このような従来の不具合にかんがみ、フリクションパッド分離方式の分離部での搬送負荷を減らすことにより、平行度など画像位置精度不良を抑え得る給紙装置を提供することを目的とする。
【０００７】
【課題を解決するための手段】
本発明の請求項１に係る給紙装置は、上記目的を達成するために、用紙を積載するトレイと、該トレイ上から用紙を給送する給紙コロと、該給紙コロに当接して給送される用紙を分離するフリクションパッドを備える給紙装置において、上記給紙コロの幅が上記フリクションパッドの幅より狭く、また上記フリクションパッドの上方で上記給紙コロと当接しない位置に搬送ガイド部を近接配置してなることを特徴とする。
【０００８】
すなわち、給紙コロと当接しないフリクションパッド部上方に配置する搬送ガイド部が用紙の波打ちを押さえ、プレ分離効果の減少を抑える。フリクションパッドのニップ幅を給紙コロ幅に合わせて小さくし、分離部での搬送負荷を減少させる構成を有する。
【０００９】
同請求項２に係る給紙装置は、上記目的を達成するために、請求項１に記載の給紙装置において、上記搬送ガイド部が上記給紙コロとともに回転することを特徴とする。
【００１０】
すなわち、用紙の浮き上がりを押さえる搬送ガイド部が給紙コロとともに回転することになるため、用紙の搬送速度とガイド部回転速度との相対速度がゼロになる。したがって用紙と搬送ガイド部での摩擦抵抗が発生せず、分離部での搬送負荷をさらに減少させる構成を有する。
【００１１】
同請求項３に係る給紙装置は、上記目的を達成するために、請求項１または２の給紙装置において、上記搬送ガイド部が弾性体からなることを特徴とする。
【００１２】
すなわち、搬送ガイド部をスポンジのような弾性体として、フリクションパッドと接触しても弾性体を圧縮させることにより、分離圧に影響を与えない状態に設定可能な構成を有する。
【００１３】
【発明の実施の形態】
以下本発明の実施の形態を図面を参照して説明する。なお以下では従来と共通する部分には共通する符号を付すにとどめ重複する説明は省略する。
【００１４】
図２は、本発明に係る給紙装置の一実施形態における要部、すなわちフリクションパッド分離部を概略的に示す斜視図である。給紙コロ１の幅Ｌはフリクションパッド２の幅Ｌ’より狭くしてある。また給紙コロ１と当接しないようにかつフリクションパッド２の上方に搬送ガイド部４を近接配置してある。
【００１５】
既述のように、用紙３の先端がフリクションパッド２に突き当たったとき、用紙３の先が給紙コロ１の脇近傍部位で波打ちをするため、フリクションパッド２の幅に比べて給紙コロ１の幅を狭くすると、用紙３の先端とフリクションパッド２の接触部分が減り、用紙３を捌くプレ分離効果は減るが、本実施形態のように給紙コロ１と当接しないようにかつフリクションパッド２の上方部位に搬送ガイド部４を近接して設置すると、用紙３の波打ちを搬送ガイド部４が押さえつつフリクションパッド２に用紙３の先端を押し当てることになるため、プレ分離効果の減少を抑えることができる。
【００１６】
またニップ幅については給紙コロ１の幅に合わせるので、従来よりニップ幅が減り、したがって分離部での搬送負荷が減少し、平行度等の画像位置精度不良を抑え得る。しかも給紙コロ１の幅が狭くなることにより、給紙コロ１を従来品に比べて小さくすることができるためコストダウンにつなげることができる。
【００１７】
図３は、本発明に係る給紙装置の他の実施形態における要部を概略的に示す斜視図である。本実施形態は、給紙コロ１の幅方向両端に小径の搬送ガイド部５、５を給紙コロ１と一体に形成したものである。搬送ガイド部５は、もちろん給紙コロ１と当接せず、かつフリクションパッド２の上方に近接配置した形態となる。そして給紙コロ１と給紙コロ搬送ガイド部５が一体に回転するため、用紙３の搬送速度と搬送ガイド部５の回転速度との相対速度がゼロになる。このため用紙３と搬送ガイド部５での摩擦抵抗が発生せず、分離部での搬送負荷はさらに減少し、平行度など画像位置精度不良をさらに抑えることができる。さらに、給紙コロ１と搬送ガイド部５が一体であるため、フリクションパッド２と搬送ガイド部５のギャップの精度を上げることができ、先の実施形態よりも用紙３の波打ちをより押さえ得る。
【００１８】
なお、図３の実施形態において搬送ガイド部５を給紙コロ１と別体で構成し、給紙コロ１の回転に連れて従動回転するようにしてもよい。
【００１９】
図４は、本発明に係る給紙装置のさらに他の実施形態における要部を概略的に示す斜視図である。本実施形態は、搬送ガイド部６をスポンジ等のような弾性体で構成してある。そのため、搬送ガイド部６がフリクションパッド２と接触しても搬送ガイド部６が圧縮されることにより、分離圧に影響を与えない状態に設定可能である。なお、モールド成形等で非弾性体により搬送ガイド部を構成すると、分離圧に影響を及ぼす可能性があるためフリクションパッド２とは接触させられない。
【００２０】
上述の状態に設定して搬送ガイド部６とフリクションパッド２を接触させて用紙３の波打ちを押さえると、用紙３の先端が確実にフリクションパッド２の全面に摺接することにより、いっそうプレ分離効果の向上が望める。またニップ幅は狭くなっているので、給紙コロ１とフリクションパッド２のニップ部での搬送負荷は減少し、平行度など画像位置精度不良をさらにいっそう抑えることができる。
【００２１】
【発明の効果】
請求項１に係る給紙装置は、以上説明してきたように、給紙コロとフリクションパッドによるプレ分離効果の減少を抑えつつニップ幅を減らせるので、分離時の搬送負荷が減少し、平行度など画像位置精度不良をおさえることができるという効果がある。
【００２２】
請求項２に係る給紙装置は、以上説明してきたように、搬送ガイド部が上記給紙コロとともに回転するので、よりプレ分離効果を向上させることができ、より分離時の搬送負荷を減少させて平行度など画像位置精度不良をおさえることができるという効果がある。
【００２３】
請求項３に係る給紙装置は、以上説明してきたように、搬送ガイド部を弾性体として用紙先端が確実にフリクションパッド全面にあたるようにすることで、よりいっそうプレ分離効果をあげることができ、分離部での搬送負荷は減少させて平行度など画像位置精度不良をおさえることができるという効果がある。
【図面の簡単な説明】
【図１】フリクションパッド分離を行う従来の給紙装置の要部を概略的に示す斜視図である。
【図２】本発明に係る給紙装置の一実施形態における要部を概略的に示す斜視図である。
【図３】本発明に係る給紙装置の他の実施形態における要部を概略的に示す斜視図である。
【図４】本発明に係る給紙装置のさらに他の実施形態における要部を概略的に示す斜視図である。
【符号の説明】
１：給紙コロ
２：フリクションパッド
３：用紙
４、５、６：搬送ガイド部
【図１】
2004067257.tif 000003
【図２】
2004067257.tif 000004
【図３】
2004067257.tif 000005
【図４】
2004067257.tif 000006